【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
薬物投与情報を決定するためのシステムであって、
炭水化物含量に対応する第１のパラメータ成分及びユーザが食事から全グルコースを吸収する期待速度に対応する第２のパラメータ成分を有する食事情報の形式でフィードフォワード情報のユーザ入力を提供する入力装置（１８，３６）と、
前記第１及び第２のパラメータ成分の値を薬物投与情報に相関付けるマップを記憶させたデータ記憶装置（１６，３４）と、
を有し、
プロセッサ（１４，３２）は、前記フィードフォワード情報のユーザ入力に応答し、前記マップに従って対応する薬物投与情報を決定し、
前記入力装置（１８，３６）および前記プロセッサ（１４，３２）が、以前に入力された食事情報に関連する時間及び／又は日付スタンプ情報をユーザが修正することができるように構成されたことを特徴とするシステム。
【請求項２】
前記入力装置（１８，３６）がディスプレイユニット（２０，３８）を含み、前記プロセッサ（１４，３２）が、前記ディスプレイユニット（２０，３８）を制御し、前記第１のパラメータ成分の値により定められる第１の軸及び前記第２のパラメータ成分の値により定められる第２の軸を有するグラフィカルユーザインタフェース（５０；５２；５４；５６）を表示するように構成され、前記グラフィカルユーザインタフェース（５０；５２；５４；５６；５８；６０）が、前記第１及び第２のパラメータ成分の値の対応するペアのユーザ選択項目の形式で前記フィードフォワード情報のユーザ入力を提供する、
ことを特徴とする請求項１に記載のシステム。
【請求項３】
前記グラフィカルユーザインタフェース（５０；５２；５４；５６）が、前記第１及び第２のパラメータ成分の対応する又は個別のペアのユーザ選択項目を提供するため、タッチ応答性インタフェースを含むか、及び／又はグリッド型ユーザインタフェースを定める、
ことを特徴とする請求項１〜請求項２の何れかに記載のシステム。
【請求項４】
前記グラフィカルユーザインタフェース（５８；６０）が、前記第１及び第２のパラメータ成分の連続関数を定める、
ことを特徴とする請求項１〜請求項３の何れかに記載のシステム。
【請求項５】
前記薬物が血糖低下薬物又はインシュリンである、
ことを特徴とする請求項１〜請求項４の何れかに記載のシステム。
【請求項６】
前記プロセッサ（１４，３２）が、前記ディスプレイユニット（２０，３８）を制御し、炭水化物重量の直接推定の形式で、又は食事量値の形式で、或いは基準食事量に対する食事量値の形式で前記炭水化物含量の値を表示するように構成される、
ことを特徴とする請求項１〜請求項５の何れかに記載のシステム。
【請求項７】
前記プロセッサ（１４，３２）が、前記ディスプレイユニット（２０，３８）を制御し、食事持続時間値の形式で、又は基準食事持続時間に対する食事持続時間値の形式で前記期待速度の値を表示するように構成される、
ことを特徴とする請求項１〜請求項６の何れかに記載のシステム。
【請求項８】
前記プロセッサ（１４，３２）が、前記ディスプレイユニット（２０，３８）を制御し、脂肪量、タンパク質量及び炭水化物量の形式で前記期待速度の値を表示し、前記脂肪量、タンパク質量及び炭水化物量の各々についての食事量値の形式で前記炭水化物含量の値を表示するように構成される、
ことを特徴とする請求項１〜請求項７の何れかに記載のシステム。
【請求項９】
前記グラフィカルユーザインタフェース（５４；５６）が、脂肪量に関する食事量値、タンパク質量に関する食事量、及び炭水化物量に関する食事量のユーザ選択の形式でフィードフォワード情報のユーザ入力を提供し、前記プロセッサ（１４，３２）が、前記ディスプレイユニット（２０，３８）を制御し、脂肪、タンパク質及び炭水化物量にそれぞれ関する基準食事量値に対する脂肪量、タンパク質量、及び炭水化物量の形式で前記食事量値を表示するように構成される、
ことを特徴とする請求項１〜請求項８の何れかに記載のシステム。
【請求項１０】
前記入力装置（１８，３６）が、運動情報及び／又はユーザストレス情報及び／又はユーザ疾病情報及び／又はユーザ月経周期情報の形式で、追加のフィードフォワード情報のユーザ入力を提供するように構成され、
前記データ記憶装置（１６，３４）が、前記運動情報及び／又はユーザストレス情報及び／又はユーザ疾病情報及び／又はユーザ月経周期情報を修正情報に相関付ける追加マップを記憶し、
前記プロセッサ（１４，３２）が、前記運動情報及び／又はユーザストレス情報及び／又はユーザ疾病情報及び／又はユーザ月経周期情報のユーザ入力に応答して、前記追加マップを介して決定される前記修正情報に従って前記対応する薬物投与情報を修正する、
ことを特徴とする請求項１〜請求項９の何れかに記載のシステム。
【請求項１１】
薬物投与情報を決定する方法であって、
食事の炭水化物含量に対応する第１のパラメータ成分及びユーザが食事から全グルコースを吸収する期待速度に対応する第２のパラメータ成分のユーザ指定値を含み、食事情報のフォームに、フィードフォワード情報のユーザ入力を受け取る段階を有し、
前記第１及び第２のパラメータ成分のユーザ指定値を薬物投与情報に相関付け、
前記第１及び第２のパラメータ成分のユーザ指定値を薬物投与情報に相関付けることが、前記第１及び第２のパラメータ成分のユーザ指定値の値を対応する薬物投与情報にマッピングするように構成されたマップを用いて、前記第１及び第２のパラメータ成分のユーザ指定値を処理することを含み、
以前に入力された食事情報に関連する時間及び／又は日付スタンプ情報をユーザが修正することができることを特徴とする方法。
【請求項１２】
前記フィードフォワード情報のユーザ入力を受け取る段階が、グラフィカルユーザインタフェース（５０；５２；５４；５６；５８；６０）を介して前記フィードフォワード情報のユーザ入力を受け取る段階を含み、前記グラフィカルユーザインタフェース（５０；５２；５４；５６；５８；６０）が、前記第１のパラメータ成分の値により定められる第１の軸と前記第２のパラメータ成分の値により定められる第２の軸とを有する、
ことを特徴とする請求項１１に記載の方法。
【請求項１３】
前記薬物が血糖低下薬物及び／又はインシュリンである、
ことを特徴とする請求項１１または請求項１２に記載の方法。
【請求項１４】
前記第１のパラメータ成分の値が、炭水化物重量の形式及び／又は食事量値の形式及び／又は基準食事量に対する食事量値の形式で前記グラフィカルユーザインタフェース（５０；５２；５４；５６；５８；６０）上に表示される、
ことを特徴とする請求項１１〜請求項１３の何れかに記載の方法。
【請求項１５】
前記第２のパラメータ成分の値が、食事持続時間値の形式及び／又は基準食事持続時間に対する食事持続時間値の形式及び／又は脂肪量、タンパク質量及び炭水化物量の形式で前記グラフィカルユーザインタフェース（５０；５２；５４；５６；５８；６０）上に表示される、
ことを特徴とする請求項１１〜請求項１４の何れかに記載の方法。
【請求項１６】
前記第１のパラメータ成分の値が、脂肪量、タンパク質量及び炭水化物量値の各々についての食事量値の形式で前記グラフィカルユーザインタフェース（５４）上に表示される、
ことを特徴とする請求項１１〜請求項１５の何れかに記載の方法。
【請求項１７】
前記第１のパラメータの値が、前記脂肪量、前記タンパク質量及び前記炭水化物量の各々についての基準食事量値にそれぞれ対する前記脂肪量、前記タンパク質量及び前記炭水化物量値の各々についての食事量値の形式で前記グラフィカルユーザインタフェース（５６）上に表示される、
ことを特徴とする請求項１１〜請求項１６の何れかに記載の方法。
【請求項１８】
前記第２のパラメータ成分の値が、総血糖インデックス値の形式で前記グラフィカルユーザインタフェース（５８）上に表示される、
ことを特徴とする請求項１１〜請求項１７の何れかに記載の方法。
【請求項１９】
前記方法が、
ユーザ運動情報及び／又はユーザストレス情報及び／又はユーザ疾病情報及び／又はユーザ月経周期情報を含む追加のフィードフォワード情報のユーザ入力を受け取る段階と、
前記ユーザにより与えられる前記追加のフィードフォワード情報に従って前記薬物投与情報を修正する段階と、
を更に含む、
ことを特徴とする請求項１１〜請求項１８の何れかに記載の方法。